(57)【特許請求の範囲】
【請求項１】
ユーザ装置（ＵＥ）がデータ伝送を生成することと、
前記ＵＥが非サービス基地局のためのアップリンク制御情報（ＵＣＩ）を生成することと、前記ＵＣＩは、前記非サービス基地局が前記データ伝送によって引き起こされた干渉をキャンセルすることを可能にするための情報を含む、
前記ＵＥが前記アップリンク制御情報（ＵＣＩ）を前記非サービス基地局に送信することと、
前記データ伝送を送信することと、
を備える無線通信のための方法。
【請求項２】
サービス基地局から前記データ伝送のための少なくとも１つのパラメータを備えたアップリンク許可を受信することをさらに備え、前記非サービス基地局のための前記ＵＣＩを生成することは前記サービス基地局からの前記アップリンク許可に基づく、請求項１に記載の方法。
【請求項３】
前記ＵＥが前記データ伝送のためのレートを選択することと、
選択された前記レートを含むように前記ＵＣＩを生成することと、
選択された前記レートをサービス基地局に送信することと、
をさらに備える、請求項１に記載の方法。
【請求項４】
前記ＵＣＩを送信することは前記ＵＣＩを送信するために前記ＵＥに割り当てられたリソース上で前記ＵＣＩを送信することを備える、請求項１に記載の方法。
【請求項５】
サービス基地局によって要求された場合に前記割り当てられたリソース上で前記ＵＣＩの代わりにデータを送信することをさらに備える、請求項４に記載の方法。
【請求項６】
前記ＵＣＩを前記送信することは、
前記ＵＣＩに基づいて第１の波形を生成することと、
前記データ伝送に関する第２の波形に前記第１の波形を重ね合わせることと、
を備える、請求項１に記載の方法。
【請求項７】
前記ＵＣＩは、ＵＥ識別情報、サービスセル識別情報、レート情報、リソース情報、ハイブリッド自動再伝送要求（ＨＡＲＱ）情報、パイロット情報、またはこれらの任意の組合せ、を備える、請求項１に記載の方法。
【請求項８】
前記ＵＣＩのための巡回冗長検査（ＣＲＣ）を前記非サービス基地局に送信することをさらに備える、請求項１に記載の方法。
【請求項９】
前記ＵＥが前記非サービス基地局の受信信号強度に基づいて前記ＵＣＩを送信すべきかどうかを決定することをさらに備える、請求項１に記載の方法。
【請求項１０】
ユーザ装置（ＵＥ）においてデータ伝送を生成するための手段と、
前記ＵＥにおいて非サービス基地局に関するアップリンク制御情報（ＵＣＩ）を生成するための手段と、前記ＵＣＩは、前記非サービス基地局が、前記データ伝送によって引き起こされた干渉をキャンセルすることを可能にするための情報を含む、
前記ＵＥから前記ＵＣＩを前記非サービス基地局に送信するための手段と、
前記データ伝送を送信するための手段と、
を備える無線通信のための装置。
【請求項１１】
前記データ伝送のための少なくとも１つのパラメータを備えたアップリンク許可をサービス基地局から受信するための手段をさらに備え、前記非サービス基地局に関する前記ＵＣＩを生成することは前記サービス基地局からの前記アップリンク許可に基づく、請求項１０に記載の装置。
【請求項１２】
前記ＵＥによって前記データ伝送のためのレートを選択するための手段と、
選択された前記レートを含むように前記ＵＣＩを生成するための手段と、
選択された前記レートをサービス基地局に送信するための手段と、
をさらに備える、請求項１０に記載の装置。
【請求項１３】
ユーザ装置（ＵＥ）からのデータ伝送をサービス基地局に送信し、
非サービス基地局のためのアップリンク制御情報（ＵＣＩ）を生成し、前記ＵＣＩは、前記非サービス基地局が前記データ伝送によって引き起こされた干渉をキャンセルすることを可能にする、
前記ＵＥから前記ＵＣＩを前記非サービス基地局に送信する、
ように構成された少なくとも１つのプロセッサを備える無線通信のための装置。
【請求項１４】
前記少なくとも１つのプロセッサは、前記データ伝送のための少なくとも１つのパラメータを備えたアップリンク許可を前記サービス基地局から受信し、前記非サービス基地局のための前記ＵＣＩを前記サービス基地局からの前記アップリンク許可に基づいて生成するように構成される、請求項１３に記載の装置。
【請求項１５】
前記少なくとも１つのプロセッサは、前記ＵＥによって前記データ伝送のためのレートを選択し、選択された前記レートを含むように前記ＵＣＩを生成し、選択された前記レートを前記サービス基地局に送信するように構成される、請求項１３に記載の装置。
【請求項１６】
ユーザ装置（ＵＥ）からのデータ伝送をサービス基地局に送信することを少なくとも１つのコンピュータに実行させるためのコードと、
非サービス基地局のためのアップリンク制御情報（ＵＣＩ）を生成することを前記少なくとも１つのコンピュータに実行させるためのコードと、前記ＵＣＩは、前記非サービス基地局が前記データ伝送によって引き起こされた干渉をキャンセルすることを可能にする、
前記ＵＣＩを前記ＵＥから前記非サービス基地局に送信することを前記少なくとも１つのコンピュータに実行させるためのコードと、
を備えるコンピュータ実行可能コードを記録したコンピュータ可読記憶媒体。
【請求項１７】
第１の基地局が第１のユーザ装置（ＵＥ）からの第１のデータ伝送を受信することと、前記第１のＵＥは前記第１の基地局によってサービスされている、
前記第１の基地局が第２のＵＥに関連付けられたアップリンク制御情報（ＵＣＩ）を前記第２のＵＥから受信することと、前記第２のＵＥは前記第１の基地局によってサービスされていない、
前記第１の基地局が、前記ＵＣＩに基づいて、前記第２のＵＥからの第２のデータ伝送によって引き起こされた干渉の干渉キャンセルを実行することと、前記第２のデータ伝送は前記第２のＵＥにサービスしている第２の基地局に前記第２のＵＥによって送信されている、
前記干渉キャンセルの後に前記第１のＵＥからの前記第１のデータ伝送を処理することと、
を備える無線通信のための方法。
【請求項１８】
前記干渉キャンセルを実行することは、
前記第１の基地局が、前記第２のＵＥからの前記第２のデータ伝送に関する復号されたデータを得るために前記ＵＣＩに基づいて受信信号を処理することと、
前記復号されたデータに基づいて前記第２のデータ伝送によって引き起こされた干渉を推定することと、
干渉キャンセルされた信号を得るために前記受信信号から推定された前記干渉を引き去ることと、
を備える、請求項１７に記載の方法。
【請求項１９】
前記干渉キャンセルを実行することは、
前記第２のデータ伝送を復号せずに前記第１の基地局における受信信号と前記ＵＣＩとに基づいて前記第２のデータ伝送によって引き起こされた前記干渉を推定することと、
干渉キャンセルされた信号を得るために前記受信信号から推定された前記干渉を引き去ることと、
を備える、請求項１７に記載の方法。
【請求項２０】
前記第２のＵＥからの前記ＵＣＩに基づいて前記第２のＵＥからの前記第２のデータ伝送を復号することと、
前記第２のデータ伝送からの復号されたデータを前記第２の基地局に転送することと、
によって、前記第１の基地局が前記第２のデータ伝送を処理すること、をさらに備える、請求項１７に記載の方法。
【請求項２１】
前記ＵＣＩを受信することは、前記ＵＣＩを送信するために前記第２のＵＥに割り当てられたリソース上で前記ＵＣＩを受信することを備える、請求項１７に記載の方法。
【請求項２２】
前記ＵＣＩを受信することは、
前記第１の基地局が前記ＵＣＩを備える第１の波形を検出するため受信信号を処理することと、
前記第１のＵＥからの前記第１のデータ伝送と前記第２のＵＥからの前記第２のデータ伝送とを備える修正された信号を得るために、前記受信信号から前記第１の波形をキャンセルすることと、
を備える請求項１７に記載の方法。
【請求項２３】
前記第２の基地局からの前記ＵＣＩを受信することをさらに備え、前記第２のデータ伝送は、前記第２の基地局からの前記ＵＣＩに基づいて処理される、請求項１７に記載の方法。
【請求項２４】
前記ＵＣＩは、ＵＥ識別情報、サービスセル識別情報、レート情報、リソース情報、ハイブリッド自動再伝送要求（ＨＡＲＱ）情報、パイロット情報、またはこれらの任意の組合せ、を備える、請求項１７に記載の方法。
【請求項２５】
前記ＵＣＩと共に前記第２のＵＥによって送信された巡回冗長検査（ＣＲＣ）に基づいて前記ＵＣＩが前記第２のＵＥから受信されたかどうかを決定することをさらに備える、請求項１７に記載の方法。
【請求項２６】
第１の基地局が前記ＵＣＩを前記第１の基地局に送信するように前記第２のＵＥに依頼するための要求を前記第２のＵＥに送信することをさらに備える、請求項１７に記載の方法。
【請求項２７】
前記第１および第２の基地局は異なる接続タイプを有する、請求項１７に記載の方法。
【請求項２８】
第１の基地局において第１のユーザ装置（ＵＥ）からの第１のデータ伝送を受信するための手段と、前記第１のＵＥは前記第１の基地局によってサービスされている、
第２のＵＥに関連付けられたアップリンク制御情報（ＵＣＩ）を、前記第２のＵＥから前記第１の基地局において受信するための手段と、前記第２のＵＥは前記第１の基地局によってサービスされていない、
前記第２のＵＥに関連付けられた前記ＵＣＩに基づいて、前記第１の基地局において干渉キャンセルを実行するための手段と、前記干渉キャンセルは前記第２のＵＥにサービスしている第２の基地局に前記第２のＵＥによって送信されている第２のデータ伝送によって引き起こされた干渉をキャンセルする、
前記干渉キャンセルを実行した後に前記第１のＵＥからの前記第１のデータ伝送を処理するための手段と、
を備える無線通信のための装置。
【請求項２９】
前記干渉キャンセルを実行するための手段は、
前記第２のＵＥからの前記第２のデータ伝送のための復号されたデータを得るために前記ＵＣＩに基づいて前記第１の基地局において受信信号を処理するための手段と、
前記復号されたデータに基づいて前記第２のデータ伝送による干渉を推定するための手段と、
干渉キャンセルされた信号を得るために前記受信信号から推定された前記干渉を引き去るための手段と、
を備える、請求項２８に記載の装置。
【請求項３０】
前記第２のＵＥに関連付けられた前記ＵＣＩを前記第２の基地局から受信するための手段をさらに備えており、前記第２のデータ伝送は前記第２の基地局からの前記ＵＣＩに基づいて処理される、請求項２８に記載の装置。
【請求項３１】
第１の基地局がユーザ装置（ＵＥ）からデータ伝送を受信することと、前記ＵＥは前記第１の基地局によってサービスされている、
前記第１の基地局が第２のＵＥから、前記第２のＵＥに関連付けられたアップリンク制御情報（ＵＣＩ）を受信することと、前記第２のＵＥは前記第１の基地局によってサービスされていない、
前記第１の基地局が、前記ＵＣＩに基づいて、前記第２のＵＥから送信された第２のデータ伝送によって引き起こされた干渉の干渉キャンセルを実行することと、
前記干渉キャンセルを実行した後に、前記第１の基地局において前記データ伝送を処理することと、
を備える無線通信のための方法。
【請求項３２】
前記第２のＵＥに関連付けられた前記ＵＣＩがアップリンク許可に基づく、請求項３１に記載の方法。
【請求項３３】
前記ＵＣＩが前記第２のＵＥによって選択されたレートを備える、請求項３１に記載の方法。
【請求項３４】
前記ＵＣＩを送信するためにリソースを割り当てることをさらに備える、請求項３１に記載の方法。
【請求項３５】
前記ＵＣＩを送信するために割り当てるべき前記リソースを決定するために第２の基地局と通信することをさらに備える、請求項３４に記載の方法。
【請求項３６】
前記第２のＵＥに、割り当てられた前記リソース上で前記ＵＣＩの代わりにデータを送信するように要求することと、
前記第２のＵＥから割り当てられた前記リソース上でデータを受信することと、
をさらに備える、請求項３４に記載の方法。
【請求項３７】
前記データ伝送を処理することは、
前記ＵＣＬに基づいて第１の波形を生成することと、
前記第１の基地局が前記ＵＥからの前記データ伝送を備える修正された信号を得るために、受信信号から前記第１の波形をキャンセルすることと、
を備える、請求項３１に記載の方法。
【請求項３８】
前記第１の基地局が前記ＵＥに関連付けられたＵＣＩを第２の基地局に送信することをさらに備え、前記第２の基地局が前記ＵＥからの前記データ伝送によって引き起こされた干渉を前記ＵＥに関連付けられた前記ＵＣＩに基づいてキャンセルする、請求項３１に記載の方法。
【請求項３９】
第１の基地局においてユーザ装置（ＵＥ）からのデータ伝送を受信するための手段と、前記ＵＥは前記第１の基地局によってサービスされている、
第２のＵＥに関連付けられたアップリンク制御情報（ＵＣＩ）を前記第１の基地局において前記第２のＵＥから受信するための手段と、前記第２のＵＥは前記第１の基地局によってサービスされていない、
前記第２のＵＥから送信された第２のデータ伝送の干渉キャンセルを、前記ＵＣＩに基づいて前記第１の基地局において実行するための手段と、
前記干渉キャンセルを実行した後に、前記第１の基地局において前記データ伝送を処理するための手段と、
を備える無線通信のための装置。
【請求項４０】
ＵＣＩが、アップリンク許可に基づいて前記第２のＵＥによって生成される、請求項３９に記載の装置。
【請求項４１】
前記ＵＣＩが、前記第２のＵＥによって選択されたレートを備える、請求項３９に記載の装置。
【請求項４２】
前記ＵＥに関連付けられたＵＣＩを前記第１の基地局から第２の基地局に送信するための手段をさらに備え、前記ＵＥからの前記データ伝送によって引き起こされた干渉は、前記ＵＥに関連付けられた前記ＵＣＩに基づいて前記第２の基地局によってキャンセルされる、請求項３９に記載の装置。
【発明の詳細な説明】
【関連出願】
【０００１】
本出願は、これの譲受人に譲渡され、参照によってここに組み込まれている２００８年７月１１日に出願された「ＲＥＶＥＲＳＥ  ＲＡＴＥ  ＩＮＤＩＣＡＴＯＲ  ＣＨＡＮＮＥＬ  ＦＯＲ  ＩＮＴＥＲ−ＣＥＬＬ  ＩＮＴＥＲＦＥＲＥＮＣＥ  ＣＡＮＣＥＬＬＡＴＩＯＮ」（セル間干渉キャンセルのためのリバース・レート・インジケータ・チャネル）と題する米国特許仮出願番号第６１／０８０，０６５号に対する優先権を主張する。
【技術分野】
【０００２】
本開示は、一般的には通信に関し、より具体的には無線通信ネットワークにおいて情報を送信および受信するための技法に関する。
【背景技術】
【０００３】
無線通信ネットワークは、音声、ビデオ、パケットデータ、メッセージング、ブロードキャストなどといった種々の通信コンテンツを供給するために広く展開されている。これらの無線ネットワークは、利用可能なネットワークリソースを共用することによって複数のユーザをサポートできる多元接続ネットワークであり得る。このような多元接続ネットワークの例は、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交ＦＤＭＡ（「ＯＦＤＭＡ」）ネットワーク、およびシングルキャリアＦＤＭＡ（ＳＣ−ＦＤＭＡ）ネットワークを含む。
【０００４】
無線通信ネットワークは、複数のユーザ装置（ＵＥ）のための通信をサポートできる複数の基地局を含み得る。ＵＥは、ダウンリンクおよびアップリンクを介して基地局と通信できる。ダウンリンク（または順方向リンク）は基地局からＵＥへの通信リンクを指し、アップリンク（または逆方向リンク）はＵＥから基地局への通信リンクを指す。
【０００５】
基地局は、アップリンク上でＵＥからのデータ伝送を受信できる。所定のＵＥからのデータ伝送は、他のＵＥによって近隣の基地局に送信されたデータ伝送による干渉を観測する可能性がある。このＵＥからのデータ伝送の性能は、他のＵＥからの干渉によって劣化させられる可能性がある。
【発明の概要】
【０００６】
無線ネットワークにおいてアップリンク上におけるデータ伝送をサポートするための技法がここで説明される。ＵＥは、サービス基地局にデータ伝送を送信できる。ある態様ではＵＥはまた、非サービス基地局がＵＥからのデータ伝送を処理することを可能にするためにこの非サービス基地局にアップリンク制御情報（ＵＣＩ）を送信することもできる。一デザインではこのＵＣＩは、非サービス基地局がＵＥからのデータ伝送による干渉を推定してこの非サービス基地局において干渉をキャンセルすることを可能にするための関連情報を含み得る。干渉キャンセルは、非サービス基地局における受信信号品質を改善できる。干渉キャンセルの後に非サービス基地局は、この基地局によってサービスされている別のＵＥからのデータ伝送を処理できる。
【０００７】
一デザインではＵＥは、ＵＣＩを送信するためにＵＥに割り当てられたリソース上でＵＣＩを送信できる。もう１つのデザインではＵＥは、データ伝送にＵＣＩを重ね合わせることができる。両デザインに関してＵＥは、サービス基地局からの要求に応じて、または他の何らかのトリガーに基づいて、ＵＣＩを送信できる。
【０００８】
本開示の種々の態様および特徴は、下記にさらに詳細に説明される。
【図面の簡単な説明】
【０００９】
【図１】無線通信システムを示す図である。
【図２Ａ】ＵＣＩを持たないアップリンクデータ伝送の一デザインを示す図である。
【図２Ｂ】ＵＣＩを持つアップリンクデータ伝送の一デザインを示す図である。
【図３Ａ】ＵＣＩを持たないアップリンクデータ伝送のもう１つのデザインを示す図である。
【図３Ｂ】ＵＣＩを持つアップリンクデータ伝送のもう１つのデザインを示す図である。
【図４】基地局およびＵＥのブロック図である。
【図５】干渉キャンセルを有するデータ受信のためのプロセスを示す図である。
【図６】ＵＥによってＵＣＩを送信するためのプロセスを示す図である。
【図７】ＵＥによってＵＣＩを送信するための装置を示す図である。
【図８】基地局によってＵＣＩを受信して使用するためのプロセスを示す図である。
【図９】基地局によってＵＣＩを受信して使用するための装置を示す図である。
【図１０】サービス基地局に関するプロセスを示す図である。
【図１１】サービス基地局に関する装置を示す図である。
【発明を実施するための形態】
【００１０】
ここで説明される技法は、ＣＤＭＡ、ＴＤＭＡ、ＦＤＭＡ、ＯＦＤＭＡ、ＳＣ−ＦＤＭＡおよび他のネットワークといった種々の無線通信ネットワークのために使用され得る。用語「ネットワーク」および「システム」は、しばしば相互交換可能に使用される。ＣＤＭＡネットワークは、ユニバーサル地上無線アクセス（「ＵＴＲＡ」）、ｃｄｍａ２０００などといった無線技術を実現できる。ＵＴＲＡは、広帯域ＣＤＭＡ（ＷＣＤＭＡ）とＣＤＭＡの他の変形版とを含む。ｃｄｍａ２０００は、ＩＳ−２０００、ＩＳ−９５およびＩＳ−８５６規格をカバーする。ＴＤＭＡネットワークは、モバイルコミュニケーション用グローバルシステム（「ＧＳＭ（登録商標）」）といった無線技術を実現できる。ＯＦＤＭＡネットワークは、Ｅｖｏｌｖｅｄ  ＵＴＲＡ（「Ｅ−ＵＴＲＡ」）、ウルトラモバイルブロードバンド（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などといった無線技術を実現できる。ＵＴＲＡおよびＥ−ＵＴＲＡは、ユニバーサルモバイルテレコミュニケーションシステム（「ＵＭＴＳ」）の一部である。３ＧＰＰ  Ｌｏｎｇ  Ｔｅｒｍ  Ｅｖｏｌｕｔｉｏｎ（「ＬＴＥ」）およびＬＴＥ−Ａｄｖａｎｃｅｄ（ＬＴＥ−Ａ）は、ダウンリンク上でＯＦＤＭＡを、そしてアップリンク上でＳＣ−ＦＤＭＡを使用するＥ−ＵＴＲＡを使用するＵＭＴＳの新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた機関からの文書に説明されている。ｃｄｍａ２０００およびＵＭＢは、「第３世代パートナーシッププロジェクト２」（３ＧＰＰ２）と名付けられた機関からの文書に説明されている。ここで説明される技法は、上記の無線ネットワークおよび無線技術ならびに他の無線ネットワークおよび無線技術のために使用され得る。
【００１１】
図１は、複数の基地局１１０と他のネットワークエンティティとを含み得る無線通信ネットワーク１００を示す。基地局は、ＵＥと通信する局であって、ノードＢ、発展（evolved）ノードＢ（ｅＮＢ）、アクセスポイントなどとも呼ばれ得る。各基地局は、ある特定の地理的領域のために通信カバレージを提供し得る。３ＧＰＰでは用語「セル」は、この用語が使用される状況に依存して基地局のカバレージエリアおよび／またはこのカバレージエリアにサービスする基地局サブシステムを指すことができる。３ＧＰＰ２では用語「セクタ」または「セル−セクタ」は、基地局のカバレージエリアおよび／またはこのカバレージエリアにサービスする基地局サブシステムを指すことができる。明確にするために、ここでの説明では３ＧＰＰの「セル」のコンセプトが使用される。
【００１２】
基地局は、マクロセル、ピコセル、フェムトセルおよび／または他のタイプのセルのために通信カバレージを提供できる。マクロセルは、比較的大きな地理的領域（例えば半径数キロメートル）をカバーでき、サービスサブスクリプションを有するＵＥによる無制限アクセスを可能にし得る。ピコセルは、比較的小さな地理的領域をカバーでき、サービスサブスクリプションを有するＵＥによる無制限アクセスを可能にし得る。フェムトセルは、比較的小さな地理的領域（例えば自宅）をカバーでき、このフェムトセルとの接続(association)を有するＵＥ（例えばクローズドサブスクライバーグループ（Closed Subscriber Group）（ＣＳＧ）内のＵＥ、自宅内のユーザのためのＵＥなど）による制限されたアクセスを可能にし得る。マクロセルのための基地局は、マクロ基地局と呼ばれ得る。ピコセルのための基地局は、ピコ基地局と呼ばれ得る。フェムトセルのための基地局は、フェムト基地局またはホーム基地局と呼ばれ得る。図１に示された例では基地局１１０ａ、１１０ｂおよび１１０ｃは、それぞれマクロセル１０２ａ、１０２ｂおよび１０２ｃのためのマクロ基地局であり得る。基地局１１０ｘは、ピコセル１０２ｘのためのピコ基地局であり得る。基地局１１０ｙおよび１１０ｚは、それぞれフェムトセル１０２ｙおよび１０２ｚのためのフェムト基地局であり得る。１つの基地局は、１つまたは複数（例えば３つ）のセルをサポートできる。
【００１３】
無線ネットワーク１００はまた、中継局を含むことも可能である。中継局は、上流局（例えば基地局またはＵＥ）からデータおよび／または他の情報の伝送を受信して、これらのデータおよび／または他の情報の伝送を下流局（例えば、ＵＥまたは基地局）に送信する局である。中継局はまた、他のＵＥのための伝送を中継するＵＥであり得る。図１に示された例では中継局１１０ｒは、基地局１１０ａとＵＥ１２０ｒとの間の通信を容易にするためにマクロ基地局１１０ａおよびＵＥ１２０ｒと通信できる。中継局は、リレー、中継基地局などとも呼ばれ得る。
【００１４】
無線ネットワーク１００は、マクロ基地局だけ、フェムト基地局だけなどを含む同種ネットワークであり得る。無線ネットワーク１００はまた、異なるタイプの基地局、例えばマクロ基地局、ピコ基地局、フェムト基地局、中継局などを含む異種ネットワークでもあり得る。これらの異なるタイプの基地局は、異なる送信電力レベル、異なるカバレージエリアおよび無線ネットワーク１００における干渉に対する異なる影響を持ち得る。例えばマクロ基地局は高い送信電力レベル（例えば２０ワット）を持ち得るが、ピコ基地局、フェムト基地局および中継局は、より低い送信電力レベル（例えば１ワット）を持ち得る。
【００１５】
ネットワークコントローラ１３０は、１セットの基地局に接続でき、またこれらの基地局のために調整と制御とを提供できる。ネットワークコントローラ１３０は、バックホール（backhaul）を介して基地局１１０と通信できる。基地局１１０は、例えば無線または有線のバックホールを介して直接または間接的に互いに通信することもできる。
【００１６】
ＵＥ１２０は無線ネットワーク１００中の至るところに分散されることが可能であり、各ＵＥは静止している、または移動性であることが可能である。ＵＥは、端末、移動局、加入者ユニット、局などとも呼ばれ得る。ＵＥは、携帯電話、パーソナル・ディジタル・アシスタント（ＰＤＡ）、無線モデム、無線通信デバイス、ハンドヘルドデバイス、ラップトップコンピュータ、コードレス電話、無線ローカルループ（ＷＬＬ）局などであり得る。ＵＥは、マクロ基地局、ピコ基地局、フェムト基地局、中継局などと通信することができる。図１では２つの矢印を有する実線は、ＵＥと、ダウンリンクおよび／またはアップリンク上でこのＵＥにサービスするように指定された基地局であるサービス基地局との間の所望の伝送を示す。２つの矢印を有する破線は、ＵＥと、このＵＥにサービスしていない基地局である非サービス基地局との間の干渉する伝送を示す。
【００１７】
無線ネットワーク１００は、直交周波数分割多重（ＯＦＤＭ）および／またはシングルキャリア周波数分割多重（ＳＣ−ＦＤＭ）を利用できる。例えば無線ネットワーク１００は、（ｉ）ダウンリンク上でＯＦＤＭを、そしてアップリンク上でＳＣ−ＦＤＭを利用するＬＴＥネットワーク、または（ｉｉ）ダウンリンクおよびアップリンク両者の上でＯＦＤＭを利用するＵＭＢネットワーク、であり得る。ＯＦＤＭおよびＳＣ−ＦＤＭは、システム帯域幅を一般にトーン、ビンなどとも呼ばれる複数（Ｋ個）の直交サブキャリアに分割する。各サブキャリアは、データと共に変調され得る。一般に変調シンボルは、ＯＦＤＭによって周波数ドメインにおいて、およびＳＣ−ＦＤＭによって時間ドメインにおいて送信される。隣接サブキャリア間の間隔は固定されていることが可能であり、サブキャリアの総数（Ｋ）は、システム帯域幅に依存し得る。例えばＫは、それぞれ１．２５、２．５、５、１０または２０メガヘルツ（ＭＨｚ）のシステム帯域幅に関して１２８、２５６、５１２、１０２４または２０４８に等しくできる。システム帯域幅もまた、サブバンドまたはサブゾーンに分割され得る。例えば１つのサブバンドは１．０８ＭＨｚをカバーでき、そしてそれぞれ１．２５、２．５、５、１０または２０ＭＨｚのシステム帯域幅に関して１、２、４、８または１６個のサブバンドが存在し得る。
【００１８】
無線ネットワーク１００は、ハイブリッド自動再伝送（ＨＡＲＱ）によってデータ伝送をサポートできる。アップリンク上でのＨＡＲＱに関してＵＥは、パケットの伝送を送信でき、またパケットが基地局によって正しく復号されるまで、または最大数の伝送が送信されてしまうまで、または他の何らかの終了条件が遭遇されるまで、必要であればパケットの１つ以上の更なる伝送を送信できる。このようにしてＵＥは、パケットの可変数の伝送を送信できる。パケットの各伝送は、ＨＡＲＱ伝送と呼ばれ得る。非同期ＨＡＲＱに関しては、更なる伝送は前の伝送の可変時間後に送信され得る。同期ＨＡＲＱに関しては、追加の伝送は前の伝送の一定時間後に送信され得る。
【００１９】
ＨＡＲＱを用いてパケットを送信するためにＵＥは、パケットを符号化して、符号化されたパケットを得ることができ、そして符号化パケットを複数の冗長バージョンまたはブロックに分割し得る。各冗長バージョンは、パケットに関して異なる冗長情報（例えば異なるコードビット）を含み得る。ＵＥは、パケットの各伝送に関して１つの冗長バージョンを送信できる。ＵＥは、順次的順序で、またはＵＥによって選択され得る任意の順序で、冗長バージョンを送信できる。
【００２０】
ＵＥは、複数の基地局のカバレージ内に存在し得る。ＵＥにサービスするために、これらの基地局の１つが選択され得る。サービス基地局は、ジオメトリー（geometry）、経路損失などといった種々の基準に基づいて選択され得る。ジオメトリーは、信号対雑音比（ＳＮＲ）、信号対雑音および干渉比（ＳＩＮＲ）、キャリア対干渉比（Ｃ／Ｉ）などによって定量化され得る。
【００２１】
ＵＥは、アップリンク上でデータ伝送をサービス基地局に送信できる。ＵＥからのデータ伝送は、非サービス基地局に対して高い干渉を引き起こす可能性がある。これは、例えば制約された接続によりそのようになり得る。例えば図１においてＵＥ１２０ｙはフェムト基地局１１０ｙの近くに在ることが可能であり、基地局１１０ｙに関して高い受信電力を持ち得る。しかしながらＵＥ１２０ｙは、制約された接続のためにフェムト基地局１１０ｙにアクセスできない可能性があり、それから、（図１に示されているように）より低い受信電力でマクロ基地局１１０ｃに接続し得る、またはより低い受信電力でフェムト基地局１１０ｚにも（図１には示されていない）接続し得る。それからＵＥ１２０ｙは、アップリンク上でフェムト基地局１１０ｙに高い干渉を引き起こす可能性がある。
【００２２】
一態様ではＵＥは、非サービス基地局がこのＵＥからのデータ伝送を処理する（例えばデータ伝送に関する干渉キャンセルを実行する）ことを可能にするためにアップリンク制御情報（ＵＣＩ）を送信できる。一デザインではＵＣＩは、非サービス基地局がＵＥからのデータ伝送による干渉を推定してこの非サービス基地局における干渉をキャンセルすることを可能にするための関連情報を含み得る。これは、非サービス基地局における受信信号品質を改善し得る。非サービス基地局が制約されたアクセスを有するフェムト基地局である可能性があり、ＵＥからの高い干渉を観測し得るので、ＵＣＩは、制約された接続の場合に特に有用であり得る。ＵＣＩはまた、複数の基地局が共同でＵＥのデータ伝送を監視して復号できるネットワーク処理方式のためにも有用であり得る。ＵＣＩは、種々のタイプの情報を含むことができ、そして下記に説明されるように種々の方法で送信され得る。
【００２３】
図２Ａは、サービス基地局へのアップリンクデータ伝送のための第１の方式を示す。第１の基地局（基地局１）は、第２の基地局（基地局２）に高い干渉を引き起こし得る第１のＵＥ（ＵＥ１）と通信できる。制約された接続のシナリオでは第１の基地局はマクロ基地局であり、第２の基地局は第１のＵＥがアクセスできないフェムト基地局であり得る。第２の基地局は第２のＵＥ（ＵＥ２）と通信できる。
【００２４】
アップリンクデータ伝送に関して第１のＵＥは、リソース要求を第１の基地局に送信し得る。第１の基地局は第１のＵＥに関するアップリンクチャネル品質を推定し、リソース（例えばリソースブロック）を第１のＵＥに割り当て、そしてアップリンク許可（uplink grant）を第１のＵＥに送信し得る。アップリンク許可は、第１のＵＥに割り当てられたリソース、変調および符号化方式（ＭＣＳ）、トランスポートブロックサイズ、ＨＡＲＱに関する冗長バージョン、および／またはアップリンク上でデータを送信するために第１のＵＥによって使用されるべき他のパラメータ、を示し得る。第１のＵＥは、アップリンク許可にしたがってデータを処理でき、アップリンク上でデータ伝送を第１の基地局に送信し得る。このデータ伝送は、１つ以上のパケットのための１つ以上のＨＡＲＱ伝送を備え得る。第１の基地局は、第１のＵＥによって送信されたデータを復元するためにアップリンク許可にしたがって第１のＵＥからのデータ伝送を処理できる。
【００２５】
第１のＵＥからのデータ伝送は、第２の基地局に高い干渉を引き起こす可能性がある。この高い干渉は、第２のＵＥによって第２の基地局に送信されたデータ伝送を復号するための第２の基地局の能力に影響を与え得る。
【００２６】
図２Ｂは、非サービス基地局へのＵＣＩを有するサービス基地局へのアップリンクデータ伝送のデザインを示す。第１のＵＥは、図２Ａに関して上記に説明されたように第１のＵＥにアップリンク許可を送信し得る第１の基地局にリソース要求を送信できる。第１のＵＥは、このアップリンク許可にしたがってデータを処理し、アップリンク上でデータ伝送を第１の基地局に送信し、そしてＵＣＩを第２の基地局に送信し得る。第１の基地局は、第１のＵＥによって送信されたデータを復元するためにアップリンク許可にしたがって第１のＵＥからのデータ伝送を処理し得る。第２の基地局もまた、ＵＣＩにしたがって第１のＵＥからのデータ伝送を処理し得る。第２の基地局は、ＵＥからのデータ伝送よる干渉を推定することができ、そして第２の基地局における干渉をキャンセルすることができる。それから第２の基地局は、第２のＵＥによって送信されたデータを復元するために第２のＵＥからのデータ伝送を処理できる。
【００２７】
図３Ａは、サービス基地局へのアップリンクデータ伝送のための第２の方式を示す。第１のＵＥは、第１の基地局からアップリンク構成(configuration)を受信できる（図３Ａには図示されていない）。アップリンク構成は、第１のＵＥが送信できる最大レート、このＵＥによって使用され得るリソースなどを示し得る。アップリンク構成はまた、半永続的(semi-persistent)割当て、第１のＵＥによる自律的伝送のための割当て、などのためであり得る。
【００２８】
アップリンクデータ伝送に関して第１のＵＥは、データを送信するために使用すべきレートを選択し得る。選択されたレートは、送信すべきデータの量、アップリンク構成などといった種々のファクタに依存し得る。第１のＵＥは、選択されたレートにしたがってデータを処理でき、アップリンク上でデータ伝送を第１の基地局に送信できる。第１のＵＥは、選択されたレートを伝達し得るリバースレートインジケータ（ＲＲＩ）を第１の基地局に送信することもできる。第１の基地局は、第１のＵＥによって送信されたデータを復元するためにＲＲＩにしたがって第１のＵＥからのデータ伝送を処理できる。
【００２９】
第１のＵＥからのデータ伝送は、第２の基地局に高い干渉を引き起こす可能性がある。この高い干渉は、第２のＵＥからのデータ伝送を復号するための第２の基地局の能力に影響を及ぼす可能性がある。
【００３０】
図３Ｂは、非サービス基地局へのＵＣＩを有するサービス基地局へのアップリンクデータ伝送のもう１つのデザインを示す。第１のＵＥは、第１の基地局からアップリンク構成を受信し得る。アップリンクデータ伝送に関して第１のＵＥは、データを送信するために使用すべきレートを選択し、この選択されたレートにしたがってデータを処理し、そしてデータ伝送とＲＲＩとを第１の基地局に送信し得る。第１のＵＥはまた、ＵＣＩを第２の基地局に送信することもできる。第１の基地局は、第１のＵＥによって送信されたデータを復元するためにＲＲＩにしたがって第１のＵＥからのデータ伝送を処理し得る。第２の基地局もまた、ＵＣＩにしたがって第１のＵＥからのデータ伝送を処理し得る。第２の基地局は、第１のＵＥからのデータ伝送による干渉を推定でき、第２の基地局におけるこの干渉をキャンセルできる。それから第２の基地局は、第２のＵＥによって送信されたデータを復元するために第２のＵＥからのデータ伝送を処理できる。
【００３１】
図２Ａおよび３Ａは、アップリンクデータ伝送のための２つの方式を示している。図２Ａではサービス基地局は、アップリンクデータ伝送のための種々のパラメータを決定して、これらのパラメータをＵＥに送信する。ＵＥは、サービス基地局から受信されたパラメータにしたがってデータを処理して送信する。サービス基地局は、これらのパラメータを知っており、ＵＥからのデータ伝送を処理できる。非サービス基地局は、これらのパラメータを知らず、ＵＥからのデータ伝送を処理できない可能性がある。
【００３２】
図３ＡではＵＥは、アップリンクデータ伝送のための１つ以上のパラメータ（例えばレート）を選択できる。それからＵＥは、選択されたパラメータ（単数または複数）と、場合によりＵＥおよびサービス基地局の両者によって知られた他の構成されたパラメータと、にしたがってデータを処理する。ＵＥは、データ伝送とこれらの選択されたパラメータ（単数または複数）とをサービス基地局に送信する。サービス基地局は、選択されたパラメータ（単数または複数）と場合により他の構成されたパラメータとにしたがってＵＥからのデータ伝送を処理できる。これらの選択されたパラメータ（単数または複数）は、サービス基地局のために意図されている。したがって非サービス基地局は通常、これらの選択されたパラメータ（単数または複数）を受信しない。さらに非サービス基地局は、選択されたパラメータ（単数または複数）だけに基づいてＵＥからのデータ伝送を処理することができない可能性があり、すなわちこれらの選択されたパラメータ（単数または複数）は不十分である可能性がある。
【００３３】
図２Ｂおよび３Ｂは、非サービス基地局へのＵＣＩを有するアップリンクデータ伝送の２つのデザインを示す。図２ＢではＵＥは、非サービス基地局がＵＥからのデータ伝送を処理することを可能にするためにこの非サービス基地局にＵＣＩを送信する。ＵＥは、サービス基地局からのアップリンク許可においてパラメータを受信できる。ＵＣＩは、アップリンク許可におけるパラメータおよび／または他のパラメータを含み得る。ＵＣＩは、非サービス基地局がＵＥからのデータ伝送による干渉を推定してキャンセルすることを可能にする。
【００３４】
図３ＢにおいてＵＥは、非サービス基地局がＵＥからのデータ伝送を処理することを可能にするために、この非サービス基地局にＵＣＩを送信する。ＵＣＩは、ＵＥによって選択された１つ以上のパラメータ（単数または複数）と、場合によりＵＥおよびそのサービス基地局の両者によって知られた他の構成されたパラメータと、を含み得る。ＵＣＩは、非サービス基地局がＵＥからのデータ伝送による干渉を推定してキャンセルすることを可能にする。
【００３５】
一般にＵＣＩは、非サービス基地局によってサービスされていないＵＥからのデータ伝送を処理するためにこの非サービス基地局に関連のあり得る如何なる情報も含み得る。表１は、１つのデザインにしたがってＵＣＩに含まれ得るいくつかの情報をリストアップしている。
【００３６】
表１−非サービス基地局に関するアップリンク制御情報（ＵＣＩ）
【表１】
0005583731.tif 000002
【００３７】
ＵＥ識別情報（ＩＤ）は、媒体アクセス制御識別情報（Medium Access Control Identity）（ＭＡＣＩＤ）、無線ネットワーク暫定識別子(Radio Network Temporary Identifier)（ＲＮＴＩ）、または他の何らかのタイプの識別情報であり得る。サービスセルＩＤは、物理セルＩＤ、スクランブルコード、擬似ランダム数（ＰＮ）オフセット、Ｗａｌｓｈシーケンスおよび／またはサービスセルに割り当てられた他の何らかの識別情報であり得る。ＵＥＩＤおよびサービスセルＩＤは静的または半静的情報であり得る、そして適当な通信プロトコルまたは通信インタフェースを使用してバックホールを介して非サービス基地局に伝達され得る。アップリンクデータ伝送は、ＵＥＩＤおよび／またはサービスセルＩＤに基づいてスクランブルまたはチャネライズ（channelized）され得る。このようにして非サービス基地局は、ＵＥからのアップリンクデータ伝送の相補的デスクランブルまたはデチャネライゼーション（de-channelization）を実行するためにＵＥＩＤおよび／またはサービスセルＩＤを与えられ得る。
【００３８】
レート情報は、ＵＥによるアップリンクデータ伝送のために使用される種々のパラメータを備え得る。これらのパラメータは、符号化方式および／または符号化レート、変調方式、データレート、パケットサイズまたはパケット長、送信すべきパケットの数、データ伝送のために使用すべきアンテナの数、データ伝送のために複数のアンテナが使用される場合のプリコーディングモード、などを含み得る。このレート情報は、変調および符号化方式（ＭＣＳ）、パケットフォーマット、トランスポートフォーマット、レートなど、とも呼ばれ得る、およびまたは、これらを備え得る。レート情報は、動的であり得る、そして例えばチャネル状況の変化、干渉回避機構および／または他のファクタによってサブフレームごとに、またはパケットごとに変わり得る。
【００３９】
リソース情報は、ＵＥによってアップリンクデータ伝送のために使用されるリソースを示し得る。一般にリソースは、時間、周波数、コード、送信電力などによって定量化され得る。アップリンクデータ伝送のために使用されるリソースは、１つ以上のリソースブロック、チャネルツリーにおけるノードのノードＩＤ、１つ以上の拡散シーケンス、送信電力レベルなどによって与えられ得る。
【００４０】
ＨＡＲＱ情報は、どの冗長情報がアップリンクデータ伝送で送信されているかを示し得る。ＵＥは、１回に１つずつのＨＡＲＱ伝送で、所定のパケットのために複数のＨＡＲＱ伝送を送信し得る。各ＨＡＲＱ伝送は、パケットのための異なる冗長情報を搬送でき、異なる冗長バージョンまたはＨＡＲＱインデックスに関連付けられ得る。ＨＡＲＱ情報は、アップリンクデータ伝送で送信されている冗長情報の冗長バージョンまたはＨＡＲＱインデックスを備え得る。ＨＡＲＱ情報は、パケットを復号するために非サービス基地局によって使用され得る。
【００４１】
パイロット情報は、ＵＥによって送信される基準信号またはパイロットに関するパラメータを示し得る。代替として基準信号またはパイロットのフォーマットは、非サービス基地局によって先験的（a priori）に知られていることが可能であり、パイロット情報は送信される必要がない場合がある。非サービス基地局は、ＵＥに関するチャネル推定を導き出すために基準信号またはパイロットを使用でき、そしてこのチャネル推定を用いてＵＥに関する干渉キャンセルを実行し得る。この干渉キャンセルの有効性は、チャネル推定の品質に依存し得る。
【００４２】
表１は、ＵＣＩに含まれ得るいくつかの情報をリストアップしている。ＵＣＩは、異なるおよび／または更なる情報を含み得る。ＵＣＩに含むべき情報は、データ伝送がアップリンク上でどのように送信されるかに依存することができ、これは無線技術ごとに変わり得る。いずれの場合でもＵＣＩは、非サービス基地局がアップリンクデータ伝送を処理できる（アップリンクデータ伝送に関する干渉キャンセルを実行し得る）ように、ＵＥからのアップリンクデータ伝送に関するすべての関連情報を含み得る。
【００４３】
ＵＣＩは、種々の方法で非サービス基地局に送信され得る。一デザインではＵＣＩの一部は、静的または半静的であり得る、そして例えばサービス基地局から非サービス基地局にバックホールを介して送信され得る。ＵＣＩの一部は動的であることが可能であり、そして例えば図２Ｂまたは３Ｂに示されているようにアップリンク上でＵＥによって非サービス基地局に送信され得る。ＵＣＩによる干渉ならびにオーバーヘッドを低減するためにアップリンク上で送信するＵＣＩの量を減らすことが望ましい場合がある。
【００４４】
一例示的デザインではＵＣＩは、レート情報のために５または６ビット、リソース情報のために３ビット、ＨＡＲＱ情報のために３ビット、およびある幾つかの予約(reserved)ビットを含み得る約１６ビットを備え得る。ＵＣＩはまた、各タイプの情報のためにより少ないまたはより多いビットを含むこともできる。巡回冗長検査（ＣＲＣ）は、ＵＣＩのために生成されてＵＣＩと共に送信され得る。ＣＲＣは、ＵＣＩが受信されたかどうかを決定するために非サービス基地局によって使用され得る。ＣＲＣは、４ビットまたは４ビットより少ないビットまたは４ビットより多いビットを備え得る。
【００４５】
ＵＥは、種々の方法でＵＣＩを非サービス基地局に送信できる。ＵＣＩは、ＵＣＩチャネル、ＲＲＩチャネルなどと呼ばれ得るフィードバックチャネル上で送信され得る。
【００４６】
専用帯域幅のデザインではＵＥは、ＵＣＩを送信するためにサービス基地局によって幾つかのリソースを割り当てられ得る。これらの割り当てられたリソースは、ＵＣＩリソースと呼ばれ得る。ＵＥは、ＵＣＩリソース上でＵＣＩを非サービス基地局に送信できる。ＵＥはまた、ＵＣＩリソース上でＵＣＩの代わりにデータをサービス基地局に送信することもできる。非サービス基地局は、例えばバックホールまたは他の何らかの機構を介してＵＣＩリソースについて知らされ得る。非サービス基地局はまた、ＵＥのためにＵＣＩリソースをリザーブすることもできる。
【００４７】
専用帯域幅のデザインの一例ではＵＥは、ＵＣＩを送信するためにＵＣＩセグメントを割り当てられ得る。ＵＣＩセグメントは、１．２５ＭＨｚの１サブバンドのリソース割当てに対して６％のオーバーヘッドに、または５ＭＨｚの４個のサブバンドのリソース割当てに対して１．５％のオーバーヘッドに、対応し得る６個のサブキャリアを備え得る。ＵＥは、コードワードを得るために畳み込みコード、ブロックコード、および／または他の何らかのコードを用いてＵＣＩを符号化し得る。ＵＥは、コードワードをＵＣＩセグメントで１度に、またはダイバーシティを得るために複数回送信できる。ＵＥは、データ伝送と同じサブバンドでＵＣＩを送信でき（１つだけのサブバンドが割り当てられた場合）、または指定されたサブバンドで送信できる（複数のサブバンドが割り当てられた場合）。ＵＣＩは、例えば、ＵＥ識別情報に依存し得る、同じチャネライゼーションおよび周波数ホッピングを用いてデータと同様な方法で送信され得る。非サービス基地局は、ＵＥによるチャネライゼーションおよび周波数ホッピングについて知っていることができる。
【００４８】
ＵＥはまた、他の方法によってＵＣＩリソース上でＵＣＩを送信することもできる。サービス基地局は、ＵＣＩに関するオーバーヘッドを節約するためにＵＣＩリソース上でＵＣＩの代わりにデータを送信するようにＵＥに要求することもあり得る。
【００４９】
重ね合わせデザインではＵＥは、アップリンクデータ伝送上でＵＣＩを重ね合わせることによってＵＣＩを送信できる。ＵＥは、アップリンクデータ伝送のためにデータ波形を生成できる。ＵＥはまた、ＵＣＩに基づいてＵＣＩ波形を生成することもできる。それからＵＥは、複合波形を得るためにＵＣＩ波形をデータ波形に加えることができる。この複合波形は、データ波形に重ね合わされたＵＣＩ波形を備え得る。ＵＣＩ波形は、低周波成分を備えることができ、したがってデータ波形のエンベロープ（envelop）をゆっくり変調できる。サービス基地局は、ＵＣＩを知っている場合があり、それによってＵＣＩ波形を除去できる。非サービス基地局は、ＵＣＩを知らない場合があり、したがってＵＣＩ波形を最初に復号しようと試み得る。それから非サービス基地局は、ＵＣＩ波形を除去できる。重ね合わせデザインは、更なる時間-周波数リソースを必要とせずにＵＥがＵＣＩを送信することを可能にし得る。しかしながらＵＣＩ波形は、ＵＥの送信電力を増加させる可能性があり、データ波形によるＳＮＲフロア（floor）を観測し得る。ＵＣＩ波形は、これが非サービス基地局によって確実に受信され得るように生成され得る。ＵＣＩ波形はまた、非サービス基地局がＵＣＩをより早く復元してデータ波形の復号をより早く開始することを可能にするために、データ波形の前の部分だけで送信され得る。ＵＣＩ波形はまた、ＵＣＩ波形をキャンセルした後のＵＣＩによる残存干渉がサービス基地局および非サービス基地局において無視可能になるように、生成されて送信され得る。
【００５０】
一般にＵＣＩ内の異なるタイプの情報は、明示的または暗示的に送信され得る。所定の情報は、メッセージのペイロードまたはフィールドにこの情報を含ませることによって明示的に送信され得る。所定の情報は、この情報でメッセージを操作する（例えばスクランブルする）ことによって暗示的に送信され得る。
【００５１】
ＵＥは、専用帯域幅のデザイン、重ね合わせデザインまたは他の何らかのデザインに基づいてＵＣＩを送信できる。ＵＥは、非サービス基地局において所望の信頼性、例えば目標誤検出確率と目標誤警報確率を得るために、ＵＣＩを送信できる。誤検出は、非サービス基地局がＵＣＩを復号できなかったことを指す。これは、非サービス基地局がＵＥからの干渉をキャンセルでき、それによってそのＵＥ（単数または複数）のＳＮＲを改善し得るという仮定を持ってＵＥ（単数または複数）をスケジュールできる、非サービス基地局に関する帯域幅の損失という結果を招く場合がある。目標誤検出確率は、帯域幅の損失を最小にするために比較的低く（例えば１％に）設定され得る。誤警報は、ＵＣＩがＵＥによって送信されていないときの非サービス基地局によるＵＣＩの誤検出を指す。それから非サービス基地局は、送信されていないＵＥからのデータ伝送の復号を試みる可能性がある。このようにして誤警報は、非サービス基地局による更なる処理という結果を招く可能性があるが、性能にはさほど影響しないことがある。目標誤警報確率は、比較的高く（例えば１０％より高く）設定されることができ、これはより小さいＣＲＣ（例えば４ビットＣＲＣ）の使用を可能にし得る。
【００５２】
ＵＥは、トリガーされたときＵＣＩを非サービス基地局に送信し得る。一デザインではサービス基地局は、ＵＣＩを非サービス基地局に送信するようにＵＥに命令できる。例えばサービス基地局は、ＵＥからパイロット測定報告を受信できる。この報告は、ＵＥにおいて高い受信信号強度を有する、したがってＵＥからの高い干渉を観測する可能性の高い非サービス基地局を示し得る。それからサービス基地局は、ＵＣＩを非サービス基地局に送信するようにＵＥに命令することができる。もう１つのデザインではＵＥは、ＵＣＩを非サービス基地局に送信すべきかどうかを決定できる。例えばＵＥは、非サービス基地局の受信信号強度が閾値を超えた場合にＵＣＩを送信することを決定し得る。さらにもう１つのデザインでは非サービス基地局は、非サービス基地局がＵＥからの高い干渉を観測した場合にＵＣＩを送信するようにＵＥに命令し得る。ＵＣＩはまた他のトリガーに基づいて送信されることもあり得る。
【００５３】
簡単にするために図２Ａ〜３Ｂは、１つの非サービス基地局を有する第１のＵＥを示している。一般にＵＥは、そのＵＥからの高い干渉を観測する任意数の非サービス基地局を持ち得る。ＵＥは、各非サービス基地局がＵＥからのデータ伝送を処理することを可能にするためにＵＣＩを１つ以上の非サービス基地局に送信できる。
【００５４】
また簡単にするために図２Ａ〜３Ｂは、１つの干渉するＵＥを有する第２の基地局を示す。一般に基地局は、この基地局に高い干渉を引き起こす任意数のサービスされていないＵＥを持ち得る。基地局は、１つ以上のサービスされていないＵＥからＵＣＩを受信でき、各サービスされていないＵＥからのデータ伝送を処理し得る（例えばこのデータ伝送に関する干渉キャンセルを実行し得る）。例えば基地局は、最も強いサービスされていないＵＥだけ、予め決められた数の最も強いサービスされていないＵＥ、その受信信号強度が特定の閾値を超えるサービスされていないＵＥ、そのＵＣＩが基地局によって復号され得るサービスされていないＵＥ、などに関する干渉キャンセルを実行できる。
【００５５】
図４は、図１の基地局の１つおよびＵＥの１つであり得る基地局１１０およびＵＥ１２０のデザインのブロック図を示す。一般にＴ≧１およびＲ≧１として、ＵＥ１２０はＴ個のアンテナ４３４ａ〜４３４ｔを装備し、基地局１１０はＲ個のアンテナ４５２ａ〜４５２ｒを装備し得る。
【００５６】
ＵＥ１２０において送信プロセッサ４２０はデータ源４１２からデータを受信し、このデータを処理し（例えば符号化し、インタリーブし、またシンボルマッピングし）、そしてデータシンボルを与えることができる。送信プロセッサ４２０はまた、コントローラ／プロセッサ４４０からの制御情報（例えばＵＣＩ）を処理して制御シンボルを与えることもできる。送信プロセッサ４２０はまた、パイロットシンボルを生成することもできる。送信（ＴＸ）多入力多出力（ＭＩＭＯ）プロセッサ４３０は、該当する場合、データシンボル、制御シンボルおよび／またはパイロットシンボルについてプリコーディングを実行できる。プロセッサ４３０は、Ｔ個の出力シンボルストリームをＴ個の変調器（ＭＯＤ）４３２ａ〜４３２ｔに供給できる。各変調器４３２は、出力サンプルストリームを得るためにそれぞれの出力シンボルストリーム（例えばＳＣ−ＦＤＭ、ＯＦＤＭ、ＣＤＭＡなどに関する）を処理することができる。各変調器４３２は、アップリンク信号を得るために出力サンプルストリームをさらに処理する（例えばアナログに変換し、増幅し、フィルタリングし、そしてアップコンバートする）ことができる。変調器４３２ａ〜４３２ｔからのＴ個のアップリンク信号は、それぞれＴ個のアンテナ４３４ａ〜４３４ｔを介して送信され得る。
【００５７】
基地局１１０ではアンテナ４５２ａ〜４５２ｒは、ＵＥ１２０および他のＵＥからのアップリンク信号を受信でき、受信信号をそれぞれ復調器（ＤＥＭＯＤ）４５４ａ〜４５４ｒに供給できる。各復調器４５４は、入力サンプルを得るためにそれぞれの受信信号を調整（例えばフィルタリング、増幅、ダウンコンバートおよびディジタル化）し得る。各復調器４５４は、受信シンボルを得るために入力サンプル（例えばＳＣ−ＦＤＭ、ＯＦＤＭ、ＣＤＭＡなどに関する）をさらに処理できる。ＭＩＭＯ検出器４５６は、すべてのＲ個の復調器４５４ａ〜４５４ｒからの受信シンボルを取得し、該当する場合、これらの受信シンボルについて受信機空間処理を実行し、そして検出されたシンボルを与え得る。受信プロセッサ４５８は、検出されたシンボルを処理し（例えば復調し、デインタリーブし、そして復号し）、ＵＥ１２０に関する復号されたデータをデータシンク４６０に供給し、そして復号された制御情報（例えばＵＣＩ）をコントローラ／プロセッサ４８０に供給することができる。
【００５８】
ダウンリンクでは基地局１１０において送信プロセッサ４６４は、データ源４６２からの１つ以上のＵＥに対するデータとコントローラ／プロセッサ４８０からの制御情報とを受信して処理することができる。送信プロセッサ４６４はまた、パイロットシンボルを生成することもできる。送信プロセッサ４６４からのシンボルは、該当する場合、ＴＸ ＭＩＭＯプロセッサ４６６によってプリコードされ、さらに変調器４５４ａ〜４５４ｒによって処理され、そしてＵＥに送信され得る。ＵＥ１２０では基地局１１０および他の基地局からのダウンリンク信号は、アンテナ４３４によって受信され、復調器４３２によって処理され、該当する場合、ＭＩＭＯ検出器４３６によって検出され、そしてさらにＵＥ１２０に送信された復号データと制御情報とを得るために受信プロセッサ４３８によって処理され得る。
【００５９】
コントローラ／プロセッサ４４０および４８０は、それぞれＵＥ１２０および基地局１１０における動作を指示し得る。メモリ４４２および４８２は、ＵＥ１２０および基地局１１０それぞれに関するデータおよびプログラムコードを記憶し得る。スケジューラ４８４は、ダウンリンクおよび／またはアップリンク上のデータ伝送に関してＵＥをスケジュールし、スケジュールされたＵＥのために許可を与え得る。
【００６０】
図５は、基地局、例えば図４の基地局１１０による干渉キャンセルを有するデータ受信のためのプロセス５００のデザインを示す。プロセス５００は、復調器４５４、検出器４５６、受信プロセッサ４５８および／または基地局１１０における他のプロセッサによって実行され得る。
【００６１】
プロセス５００に関してブロック５１２は、基地局によってサービスされていないＵＥであるサービスされていないＵＥからのＵＣＩを復元するために入力サンプルを処理し得る。ブロック５１２による処理は、ＵＣＩがどのように、例えば割り当てられたリソース上で、または重ね合わせによって、送信されるかに依存し得る。ブロック５１４は、サービスされていないＵＥからのアップリンクデータ伝送を復号するために復元されたＵＣＩにしたがって入力サンプルを処理し得る。ブロック５１６は、サービスされていないＵＥに関する復号されたデータに基づいてこのＵＥからのアップリンクデータ伝送による干渉を推定し得る。干渉を推定するためにブロック５１６は、入力サンプルに基づいて、例えばサービスされていないＵＥによって送信されたパイロットを使用して、サービスされていないＵＥに関するチャネル推定を導き出し得る。ブロック５１６は、サービスされていないＵＥによって実行されたと同じ方法でこのＵＥに関する復号されたデータを処理（例えば符号化、インタリーブ、シンボルマッピングなど）することができる。それからブロック５１６は、推定された干渉を得るために、チャネル推定を介して結果として得られたシンボルを適用できる。ブロック５１８は、入力サンプルから推定された干渉を引き去って、干渉キャンセルされたサンプルを与えることができる。
【００６２】
ブロック５１２〜５１８は、任意数のサービスされていないＵＥに関して干渉キャンセルを実行することができる。ブロック５１２〜５１８による処理は、そのアップリンクデータ伝送がキャンセルされるべきであるサービスされていないＵＥの各々に関して反復され得る。関心のあるすべてのサービスされていないＵＥに関する干渉キャンセルを完了した後にブロック５２０は、サービスされているＵＥからのアップリンクデータ伝送を復号するために干渉キャンセルされたサンプルを処理し得る。
【００６３】
図５は、復号後の干渉キャンセルのデザインを示す。干渉キャンセルは、復号せずに実行されることもできる。例えばサービスされていないＵＥからのアップリンクデータ伝送による干渉は、復調前の入力サンプル、復調器４５４からの受信シンボル、検出器４５６からの検出シンボルなどに基づいて推定され得る。推定された干渉はそれから、入力サンプル、受信シンボルなどから引き去られ得る。もう１つの例としてサービスされていないＵＥに関するチャネル推定は、非サービスＵＥからのアップリンクデータ伝送を無効(null out)にしようと試み得る空間フィルタマトリックスを導き出すために使用され得る。それからＭＩＭＯ検出器４５６は、サービスされていないＵＥからのアップリンクデータ伝送による干渉を減衰させるために空間フィルタマトリックスを適用し得る。
【００６４】
図６は、ＵＥによってＵＣＩを送信するためのプロセス６００のデザインを示す。ＵＥは、データ伝送をサービス基地局に送信できる（ブロック６１２）。ＵＥは、非サービス基地局がＵＥからのデータ伝送を処理する（例えばデータ伝送に関する干渉キャンセルを実行する）ことを可能にするためにＵＣＩを非サービス基地局に送信できる（ブロック６１４）。ＵＣＩは、表１内の情報の全部または一部および／または他の情報を備え得る。ＵＥはまた、ＵＣＩがＵＥから受信されたかどうかを非サービス基地局が決定することを可能にするためにＵＣＩに関するＣＲＣを送信することもできる。
【００６５】
図２Ｂに示されている一デザインではＵＥは、サービス基地局からアップリンク許可を受信できる。アップリンク許可は、データ伝送に関する少なくとも１つのパラメータを備え得る。ＵＥは、サービス基地局からのアップリンク許可に基づいて非サービス基地局に関するＵＣＩを生成し得る。例えばＵＣＩは、アップリンク許可内のパラメータのすべてまたはサブセットを備え得る。図３Ｂに示されたもう１つのデザインではＵＥは、データ伝送に関するレートを選択し、選択されたレートと場合により他の情報とを含むようにＵＣＩを生成し得る。ＵＥはまた、選択されたレートをサービス基地局に送信することもできる。
【００６６】
ブロック６１４の一デザインではＵＥは、ＵＣＩを送信するためにＵＥに割り当てられたリソース上でＵＣＩを送信できる。ＵＥは、もしサービス基地局によって要求されれば、割り当てられたリソース上でＵＣＩの代わりにデータを送信できる。ブロック６１４のもう１つのデザインではＵＥは、ＵＣＩに基づいて第１の波形を生成できる。それからＵＥは、データ伝送に関する第２の波形に第１の波形を重ね合わせることができる。
【００６７】
一デザインではＵＥは、例えばＵＥにおける非サービス基地局の受信信号強度に基づいてＵＣＩを送信すべきかどうかを自律的に決定し得る。他のデザインではサービス基地局または非サービス基地局は、ＵＣＩを非サービス基地局に送信するようにＵＥに要求することができる。
【００６８】
図７は、ＵＣＩを送信するための装置７００のデザインを示す。装置７００は、ＵＥからのデータ伝送をサービス基地局に送信するためのモジュール７１２と、非サービス基地局がＵＥからのデータ伝送を処理することを可能にするためにＵＥからのＵＣＩを非サービス基地局に送信するためのモジュール７１４と、を含む。
【００６９】
図８は、ＵＣＩを受信して使用するためのプロセス８００のデザインを示す。第１の基地局は、第１の基地局によってサービスされている第１のＵＥからの第１のデータ伝送を受信できる（ブロック８１２）。第１の基地局は、第１の基地局によってサービスされていない第２のＵＥからのＵＣＩを受信できる（ブロック８１４）。第１の基地局は、ＵＣＩとともに第２のＵＥによって送信されたＣＲＣに基づいてＵＣＩが受信されたか否かを決定し得る。第１の基地局は、第２のＵＥからのＵＣＩに基づいて第２のＵＥからの第２のデータ伝送を処理し得る（ブロック８１６）。第２のデータ伝送は、第２のＵＥにサービスしている第２の基地局に第２のＵＥによって送信され得る。第１の基地局は、第２の基地局から第２のＵＥに関する更なるＵＣＩ（例えばＵＥＩＤ、サービスセルＩＤなどといった静的または半静的情報）を受信し得る。それから第１の基地局は、更なるＵＣＩにさらに基づいて第２のＵＥからの第２のデータ伝送を処理し得る。このＵＣＩおよび更なるＵＣＩは、表１内の情報の全部または一部および／または他の情報を備え得る。第１の基地局は、例えば第２のＵＥに関する干渉キャンセルの後に第１のＵＥからの第１のデータ伝送を処理し得る（ブロック８１８）。
【００７０】
ブロック８１４の一デザインでは第１の基地局は、ＵＣＩを送信するために第２のＵＥに割り当てられたリソース上でＵＣＩを受信できる。ブロック８１４のもう１つのデザインでは第１の基地局は、ＵＣＩを備える第１の波形に関して検出すべき受信信号を処理し得る。それから第１の基地局は、第１および第２のＵＥからの第１および第２のデータ伝送を備える修正された信号を得るために受信信号から第１の波形をキャンセルできる。
【００７１】
ブロック８１６の一デザインでは第１の基地局は、第２のＵＥからの第２のデータ伝送に関する干渉キャンセルを実行し得る。第１の基地局は、第２のＵＥからの第２のデータ伝送に関する復号されたデータを得るためにＵＣＩに基づいて受信信号を処理できる。第１の基地局は、復号されたデータに基づいて第２のデータ伝送による干渉を推定できる。第１の基地局は、第２のデータ伝送を復号せずに受信信号とＵＣＩとに基づいて干渉を推定することもできる。いずれの場合にも第１の基地局は、干渉キャンセルされた信号を得るために受信信号から推定された干渉を引き去ることができる。
【００７２】
ブロック８１６のもう１つのデザインでは第１の基地局は、第２のＵＥからのＵＣＩに基づいて第２のＵＥからの第２のデータ伝送を復号できる。第１の基地局はそれから、第２のデータ伝送から復号されたデータを第２の基地局に渡すことができる。第１の基地局は、このデザインにおいて干渉キャンセルを実行することもしないこともあり得る。
【００７３】
第１の基地局は、ＵＣＩを第１の基地局に送信するように第２のＵＥに要求するための要求を第２のＵＥに送信できる。第２のＵＥは、他の何らかのトリガーに基づいてＵＣＩを送信することもできる。第１および第２の基地局は、異なる接続タイプを持ち得る。例えば第１の基地局はフェムト基地局であって第２の基地局はマクロ基地局である、またはこれの逆であることがあり得る。
【００７４】
図９は、ＵＣＩを送信して使用するための装置９００のデザインを示す。装置９００は、第１のＵＥにサービスしている第１の基地局において第１のＵＥからの第１のデータ伝送を受信するためのモジュール９１２と、第２のＵＥにサービスしていない第１の基地局において第２のＵＥからのＵＣＩを受信するためのモジュール９１４と、第２のＵＥからのＵＣＩに基づいて第２のＵＥからの第２のデータ伝送を処理する（例えば第２のデータ伝送に関する干渉キャンセルを実行する）ためのモジュール９１６と、第２のデータ伝送は第２のＵＥにサービスしている第２の基地局に第２のＵＥによって送信されており、第１のＵＥからの第１のデータ伝送を（例えば第２のＵＥに関する干渉キャンセルの後に）処理するためのモジュール９１８と、を含む。
【００７５】
図１０は、サービス／第１の基地局によって実行されるプロセス１０００のデザインを示す。第１の基地局は、この第１の基地局によってサービスされているＵＥからのデータ伝送を受信できる（ブロック１０１２）。第１の基地局は、ＵＥにサービスしていない第２の基地局にＵＣＩを送信するようにＵＥに要求するための要求をＵＥに送信できる（ブロック１０１４）。このＵＣＩは、第２の基地局がＵＥからのデータ伝送を処理する（例えばデータ伝送に関する干渉キャンセルを実行する）ことを可能にし得る。第１の基地局は、ＵＥに関する更なるＵＣＩを第２の基地局に送信できる。ＵＥからのデータ伝送は、ＵＥからのＵＣＩと場合により第１の基地局からの更なるＵＣＩとに基づいて第２の基地局によって処理され得る。
【００７６】
一デザインでは第１の基地局は、ＵＥにアップリンク許可を送信できる。アップリンク許可は、データ伝送に関する少なくとも１つのパラメータを備え得る。ＵＣＩは、このアップリンク許可に基づいてＵＥによって生成され得る。もう１つのデザインでは第１の基地局は、データ伝送に関してＵＥによって選択されたレートを受信できる。ＵＣＩは、選択されたレートを備え得る。
【００７７】
一デザインでは第１の基地局は、ＵＣＩを第２の基地局に送信するためにリソースをＵＥに割り当てることができる。第１の基地局は、ＵＣＩを送信するためにＵＥに割り当てるべきリソースを決定するために第２の基地局と通信できる。第１の基地局は、割り当てられたリソース上でＵＣＩの代わりにデータを送信するようにＵＥに要求し、その後にＵＥからこれら割り当てられたリソース上でデータを受信することができる。もう１つのデザインでは第１の基地局は、第１の基地局によって知られていることができるＵＣＩに基づいて第１の波形を生成し得る。それから第１の基地局は、ＵＥからのデータ伝送を備える修正された信号を得るために第１の基地局において受信信号から第１の波形をキャンセルできる。
【００７８】
図１１は、サービス／第１の基地局のための装置１１００のデザインを示す。装置１１００は、ＵＥにサービスしている第１の基地局においてＵＥからのデータ伝送を受信するためのモジュール１１１２と、ＵＥにサービスしていない第２の基地局にＵＣＩを送信するようにＵＥに要求するための第１の基地局からの要求をＵＥに送信するためのモジュール１１１４と、を含む。
【００７９】
図７、９および１１のモジュールは、プロセッサ、エレクトロニクスデバイス、ハードウェアデバイス、エレクトロニクスコンポーネント、論理回路、メモリ、ソフトウェアコード、ファームウェアコードなど、またはこれらの任意の組合せを備え得る。
【００８０】
当業者は、情報および信号が種々の異なる技術および技法の如何なるものを使用しても表され得ることを理解するであろう。例えば前述の説明全体を通して参照され得るデータ、命令、コマンド、情報、信号、ビット、シンボル、およびチップは、電圧、電流、電磁波、磁場または磁気粒子、光場または光粒子、またはこれらの任意の組合せによって表され得る。
【００８１】
当業者はさらに、ここでの開示に関連して説明された種々の例示的論理ブロック、モジュール、回路およびアルゴリズムステップが電子ハードウェア、コンピュータソフトウェア、またはこれら両者の組合せとして実現され得ることを理解するであろう。ハードウェアおよびソフトウェアのこの相互交換可能性を明確に説明するために、種々の例示的コンポーネント、ブロック、モジュール、回路、およびステップは一般にこれらの機能性の観点から上記に説明されてきた。このような機能性がハードウェアまたはソフトウェアとして実現されるかどうかは、特定の用途とシステム全体に課せられるデザイン的制約とに依存する。当業者は、各特定の用途のために種々の方法で前述の機能性を実現できるが、このような実現の決定は本開示の範囲からの逸脱を引き起こすものと解釈されるべきではない。
【００８２】
ここでの開示に関連して説明された種々の例示的論理ブロック、モジュールおよび回路は、汎用プロセッサ、ディジタル信号プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタ論理、個別ハードウェアコンポーネント、またはここで説明された機能を実現するようにデザインされたこれらの任意の組合せ、を用いて実現または実行され得る。汎用プロセッサは、マイクロプロセッサであり得るが、代替としてこのプロセッサは、任意の従来のプロセッサ、コントローラ、マイクロコントローラまたは状態機械であり得る。プロセッサはまた、コンピューティングデバイスの組合せとして、例えば１つのＤＳＰと１つのマイクロプロセッサとの組合せ、複数のマイクロプロセッサの組合せ、１つのＤＳＰコアと連動する１つ以上のマイクロプロセッサの組合せ、または他の任意のこのような構成として、実現され得る。
【００８３】
ここでの開示に関連して説明された方法またはアルゴリズムのステップは、直接的にハードウェアに、またはプロセッサによって実行されるソフトウェアモジュールに、またはこれら２つの組合せに、具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当分野で知られた他の任意の形の記憶媒体、に常駐できる。例示的記憶媒体は、プロセッサが情報をこの記憶媒体から読取り、また記憶媒体に書き込むことができるようにプロセッサに接続される。代替的な手法では記憶媒体は、プロセッサに一体化され得る。プロセッサおよび記憶媒体は、ＡＳＩＣに常駐し得る。ＡＳＩＣはユーザ端末に常駐し得る。代替的な手法ではプロセッサおよび記憶媒体は、ユーザ端末内に個別コンポーネントとして常駐し得る。
【００８４】
１つ以上の例示的デザインでは前述の機能は、ハードウェア、ソフトウェア、ファームウェア、またはこれらの任意の組合せに実現され得る。ソフトウェアに実現される場合にはこれらの機能は、コンピュータ可読媒体上において１つ以上の命令またはコードとして記憶または伝送され得る。コンピュータ可読媒体は、１つの場所から他の場所へのコンピュータプログラムの転送を容易にする任意の媒体を含むコンピュータ記憶媒体および通信媒体の両者を含む。記憶媒体は、汎用または専用コンピュータによってアクセスされ得る任意の利用可能な媒体であり得る。限定ではなく例としてこのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイスを、または命令またはデータ構造体の形で所望のプログラムコード手段を保持または記憶するために使用されることが可能であって、また汎用または専用コンピュータ、または汎用または専用プロセッサによってアクセスされ得る他の任意の媒体を、備え得る。また如何なる接続手段も、コンピュータ可読媒体と適切に名付けられる。例えばもしソフトウェアが同軸ケーブル、光ファイバケーブル、対より線、またはディジタル加入者線（ＤＳＬ）を使用して、あるいは赤外線、無線およびマイクロ波といった無線技術を使用して、ウェブサイト、サーバ、または他の遠隔情報源から送信されるならば、これらの同軸ケーブル、光ファイバケーブル、対より線、またはディジタル加入者線（ＤＳＬ）は、あるいは赤外線、無線およびマイクロ波といった無線技術は、媒体の定義に含まれる。ここで使用されているようなディスク（ｄｉｓｋ）およびディスク（ｄｉｓｃ）はコンパクトディスク（ＣＤ）、レーザーディスク（登録商標）、光ディスク、ディジタル多用途ディスク（ＤＶＤ）、フロッピー（登録商標）ディスク、およびブルーレイディスクを含んでおり、この場合、ｄｉｓｋは通常、データを磁気的に再生するのに対してｄｉｓｃはデータをレーザーで光学的に再生する。上記の手段の組合せもまた、コンピュータ可読媒体の範囲内に含まれるべきである。
【００８５】
本開示の前述の説明は、当業者でも本開示を実施または使用することを可能にするために提供されている。本開示に対する種々の修正は当分野に当業者にとって直ちに明らかであろうし、またここで定義された一般原理は本開示の精神または範囲から逸脱せずに他の変形版に適用されることが可能である。このように本開示は、ここで説明された例とデザインとに限定されるようには意図されておらず、ここで開示された原理と新規な特徴とに一致する最も広い範囲が認められるべきである。
以下に、本願出願の当初の特許請求の範囲に記載された発明を付記する。
［Ｃ１］
ユーザ装置（ＵＥ）からのデータ伝送をサービス基地局に送信することと、
非サービス基地局が前記ＵＥからの前記データ伝送を処理することを可能にするために前記ＵＥからのアップリンク制御情報（ＵＣＩ）を前記非サービス基地局に送信することと、を備える無線通信のための方法。
［Ｃ２］
前記データ伝送に関する少なくとも１つのパラメータを備えるアップリンク許可を前記サービス基地局から受信することと、
前記サービス基地局からの前記アップリンク許可に基づいて前記非サービス基地局に関する前記ＵＣＩを生成することと、をさらに備える、Ｃ１に記載の方法。
［Ｃ３］
前記ＵＥによる前記データ伝送のためのレートを選択することと、
前記選択されたレートを含むように前記ＵＣＩを生成することと、
前記選択されたレートを前記サービス基地局に送信することと、をさらに備える、Ｃ１に記載の方法。
［Ｃ４］
前記ＵＣＩを前記送信することは前記ＵＣＩを送信するために前記ＵＥに割り当てられたリソース上で前記ＵＣＩを送信することを備える、Ｃ１に記載の方法。
［Ｃ５］
前記サービス基地局によって要求された場合に前記割り当てられたリソース上で前記ＵＣＩの代わりにデータを送信することをさらに備える、Ｃ４に記載の方法。
［Ｃ６］
前記ＵＣＩを前記送信することは、
前記ＵＣＩに基づいて第１の波形を生成することと、
前記データ伝送に関する第２の波形に前記第１の波形を重ね合わせることと、を備える、Ｃ１に記載の方法。
［Ｃ７］
前記ＵＣＩはＵＥ識別情報、サービスセル識別情報、レート情報、リソース情報、ＨＡＲＱ情報、パイロット情報、またはこれらの任意の組合せ、を備える、Ｃ１に記載の方法。
［Ｃ８］
前記ＵＣＩに関する巡回冗長検査（ＣＲＣ）を前記非サービス基地局に送信することをさらに備える、Ｃ１に記載の方法。
［Ｃ９］
前記ＵＥにおいて前記非サービス基地局の受信信号強度に基づいて前記ＵＣＩを送信すべきかどうかを決定することをさらに備える、Ｃ１に記載の方法。
［Ｃ１０］
ユーザ装置（ＵＥ）からのデータ伝送をサービス基地局に送信するための手段と、
非サービス基地局が前記ＵＥからの前記データ伝送を処理することを可能にするために前記ＵＥからのアップリンク制御情報（ＵＣＩ）を前記非サービス基地局に送信するための手段と、
を備える無線通信のための装置。
［Ｃ１１］
前記データ伝送に関する少なくとも１つのパラメータを備えるアップリンク許可を前記サービス基地局から受信するための手段と、
前記サービス基地局からの前記アップリンク許可に基づいて前記非サービス基地局に関する前記ＵＣＩを生成するための手段と、
をさらに備える、Ｃ１０に記載の装置。
［Ｃ１２］
前記ＵＥによる前記データ伝送のためのレートを選択するための手段と、
前記選択されたレートを含むように前記ＵＣＩを生成するための手段と、
前記選択されたレートを前記サービス基地局に送信するための手段と、
をさらに備える、Ｃ１０に記載の装置。
［Ｃ１３］
ユーザ装置（ＵＥ）からのデータ伝送をサービス基地局に送信するように、そして非サービス基地局が前記ＵＥからの前記データ伝送を処理することを可能にするために前記ＵＥからのアップリンク制御情報（ＵＣＩ）を前記非サービス基地局に送信するように、構成された少なくとも１つのプロセッサを備える無線通信のための装置。
［Ｃ１４］
前記少なくとも１つのプロセッサは前記データ伝送に関する少なくとも１つのパラメータを備えるアップリンク許可を前記サービス基地局から受信するように、そして前記サービス基地局からの前記アップリンク許可に基づいて前記非サービス基地局に関する前記ＵＣＩを生成するように、構成されている、Ｃ１３に記載の装置。
［Ｃ１５］
前記少なくとも１つのプロセッサは前記ＵＥによる前記データ伝送のためのレートを選択し、前記選択されたレートを含むように前記ＵＣＩを生成し、そして前記選択されたレートを前記サービス基地局に送信するように、構成されている、Ｃ１３に記載の装置。
［Ｃ１６］
ユーザ装置（ＵＥ）からのデータ伝送をサービス基地局に送信することを少なくとも１つのコンピュータに実行させるためのコードと、
非サービス基地局が前記ＵＥからの前記データ伝送を処理することを可能にするために前記ＵＥからのアップリンク制御情報（ＵＣＩ）を前記非サービス基地局に送信することを前記少なくとも１つのコンピュータに実行させるためのコードと、を備えるコンピュータ可読媒体を備えるコンピュータプログラム製品。
［Ｃ１７］
第１の基地局において第１のユーザ装置（ＵＥ）からの第１のデータ伝送を受信することと、前記第１のＵＥは前記第１の基地局によってサービスされている、
前記第１の基地局において第２のＵＥからのアップリンク制御情報（ＵＣＩ）を受信することと、前記第２のＵＥは前記第１の基地局によってサービスされていない、
前記第２のＵＥからの前記ＵＣＩに基づいて前記第２のＵＥからの第２のデータ伝送を処理することと、前記第２のデータ伝送は前記第２のＵＥにサービスしている第２の基地局に前記第２のＵＥによって送信されている、
前記第１のＵＥからの前記第１のデータ伝送を処理することと、
を備える無線通信のための方法。
［Ｃ１８］
前記第２のデータ伝送を前記処理することは前記第２のＵＥからの前記ＵＣＩに基づいて前記第２のＵＥからの前記第２のデータ伝送に関する干渉キャンセルを実行することを備え、前記第１のＵＥからの前記第１のデータ伝送は前記干渉キャンセルの後に処理される、Ｃ１７に記載の方法。
［Ｃ１９］
干渉キャンセルを前記実行することは、
前記第２のＵＥからの前記第２のデータ伝送に関する復号されたデータを得るために前記ＵＣＩに基づいて前記第１の基地局において受信信号を処理することと、
前記復号されたデータに基づいて前記第２のデータ伝送による干渉を推定することと、
干渉キャンセルされた信号を得るために前記受信信号から前記推定された干渉を引き去ることと、を備える、Ｃ１８に記載の方法。
［Ｃ２０］
干渉キャンセルを前記実行することは、
前記第２のデータ伝送を復号せずに前記第１の基地局における受信信号と前記ＵＣＩとに基づいて前記第２のデータ伝送による干渉を推定することと、
干渉キャンセルされた信号を得るために前記受信信号から前記推定された干渉を引き去ることと、を備える、Ｃ１８に記載の方法。
［Ｃ２１］
前記第２のデータ伝送を前記処理することは、
前記第２のＵＥからの前記ＵＣＩに基づいて前記第２のＵＥからの前記第２のデータ伝送を復号することと、
前記第２のデータ伝送からの復号されたデータを前記第２の基地局に転送することと、を備える、Ｃ１７に記載の方法。
［Ｃ２２］
前記ＵＣＩを前記受信することは前記ＵＣＩを送信するために前記第２のＵＥに割り当てられたリソース上で前記ＵＣＩを受信することを備える、Ｃ１７に記載の方法。
［Ｃ２３］
前記ＵＣＩを前記受信することは、
前記ＵＣＩを備える第１の波形に関して検出すべき受信信号を前記第１の基地局において処理することと、
前記第１のＵＥからの前記第１のデータ伝送と前記第２のＵＥからの前記第２のデータ伝送とを備える修正された信号を得るために前記受信信号からの前記第１の波形をキャンセルすることと、を備える、Ｃ１７に記載の方法。
［Ｃ２４］
前記方法は前記第２の基地局から前記第２のＵＥに関する更なるＵＣＩを受信することをさらに備えており、前記第２のデータ伝送は前記第２の基地局からの前記更なるＵＣＩにさらに基づいて処理される、Ｃ１７に記載の方法。
［Ｃ２５］
前記ＵＣＩはＵＥ識別情報、サービスセル識別情報、レート情報、リソース情報、ＨＡＲＱ情報、パイロット情報、またはこれらの任意の組合せを備える、Ｃ１７に記載の方法。
［Ｃ２６］
前記ＵＣＩと共に前記第２のＵＥによって送信された巡回冗長検査（ＣＲＣ）に基づいて前記ＵＣＩが前記第２のＵＥから受信されたかどうかを決定することをさらに備える、Ｃ１７に記載の方法。
［Ｃ２７］
前記ＵＣＩを前記第１の基地局に送信するように前記第２のＵＥに要求するための第１の基地局からの要求を前記第２のＵＥに送信することをさらに備える、Ｃ１７に記載の方法。
［Ｃ２８］
前記第１および第２の基地局は異なる接続タイプを有する、Ｃ１７に記載の方法。
［Ｃ２９］
第１の基地局において第１のユーザ装置（ＵＥ）からの第１のデータ伝送を受信するための手段と、前記第１のＵＥは第１の基地局によってサービスされている、
前記第１の基地局において第２のＵＥからのアップリンク制御情報（ＵＣＩ）を受信するための手段と、前記第２のＵＥは前記第１の基地局によってサービスされていない、
前記第２のＵＥからの前記ＵＣＩに基づいて前記第２のＵＥからの第２のデータ伝送を処理するための手段と、前記第２のデータ伝送は前記第２のＵＥにサービスしている第２の基地局に前記第２のＵＥによって送信されている、
前記第１のＵＥからの前記第１のデータ伝送を処理するための手段と、
を備える無線通信のための装置。
［Ｃ３０］
前記第２のデータ伝送を処理するための前記手段は前記第２のＵＥからの前記ＵＣＩに基づいて前記第２のＵＥからの前記第２のデータ伝送に関する干渉キャンセルを実行するための手段を備えており、前記第１のＵＥからの前記第１のデータ伝送は前記干渉キャンセルの後に処理される、Ｃ２９に記載の装置。
［Ｃ３１］
干渉キャンセルを実行するための前記手段は前記第２のＵＥからの前記第２のデータ伝送に関する復号されたデータを得るために前記ＵＣＩに基づいて前記第１の基地局において受信信号を処理するための手段と、
前記復号されたデータに基づいて前記第２のデータ伝送による干渉を推定するための手段と、
干渉キャンセルされた信号を得るために前記受信信号から前記推定された干渉を引き去るための手段と、を備える、Ｃ３０に記載の装置。
［Ｃ３２］
前記方法は前記第２のＵＥに関する更なるＵＣＩを前記第２の基地局から受信するための手段をさらに備えており、前記第２のデータ伝送は前記第２の基地局からの前記更なるＵＣＩにさらに基づいて処理される、Ｃ２９に記載の装置。
［Ｃ３３］
第１の基地局においてユーザ装置（ＵＥ）からのデータ伝送を受信することと、前記ＵＥは前記第１の基地局によってサービスされている、
アップリンク制御情報（ＵＣＩ）を第２の基地局に送信することを前記ＵＥに要求するための、前記第１の基地局からの要求を前記ＵＥに送信することと、前記ＵＥは前記第２の基地局によってサービスされておらず、前記ＵＣＩは前記ＵＥからの前記データ伝送を前記第２の基地局が処理することを可能にする、
を備える無線通信のための方法。
［Ｃ３４］
前記方法は、
前記データ伝送に関する少なくとも１つのパラメータを備えるアップリンク許可を生成することと、
前記第１の基地局からの前記アップリンク許可を前記ＵＥに送信することと、
をさらに備えており、
前記ＵＣＩは前記アップリンク許可に基づいて前記ＵＥによって生成される、Ｃ３３に記載の方法。
［Ｃ３５］
前記方法は前記データ伝送のために前記ＵＥによって選択されたレートを受信することをさらに備え、前記ＵＣＩは前記選択されたレートを備える、Ｃ３３に記載の方法。
［Ｃ３６］
前記ＵＣＩを前記第２の基地局に送信するためのリソースを前記ＵＥに割り当てることさらに備える、Ｃ３３に記載の方法。
［Ｃ３７］
前記ＵＣＩを送信するための、前記ＵＥに割り当てるべき前記リソースを決定するために前記第２の基地局と通信することをさらに備える、Ｃ３６に記載の方法。
［Ｃ３８］
前記割り当てられたリソース上で前記ＵＣＩの代わりにデータを送信することを前記ＵＥに要求することと、
前記ＵＥから前記割り当てられたリソース上でデータを受信することと、をさらに備える、Ｃ３６に記載の方法。
［Ｃ３９］
前記データ伝送を前記受信することは、
前記ＵＣＩに基づいて第１の波形を生成することと、
前記ＵＥからの前記データ伝送を備える修正された信号を得るために前記第１の基地局において受信信号から前記第１の波形をキャンセルすることと、を備える、Ｃ３３に記載の方法。
［Ｃ４０］
前記方法は前記ＵＥに関する更なるＵＣＩを前記第１の基地局から前記第２の基地局に送信することをさらに備え、前記ＵＥからの前記データ伝送は前記第１の基地局からの前記更なるＵＣＩにさらに基づいて前記第２の基地局によって処理される、Ｃ３３に記載の方法。
［Ｃ４１］
第１の基地局においてユーザ装置（ＵＥ）からのデータ伝送を受信するための手段と、前記ＵＥは前記第１の基地局によってサービスされている、
アップリンク制御情報（ＵＣＩ）を第２の基地局に送信することを前記ＵＥに要求するための前記第１の基地局からの要求を前記ＵＥに送信するための手段と、前記ＵＥは前記第２の基地局によってサービスされておらず、前記ＵＣＩは前記ＵＥからの前記データ伝送を前記第２の基地局が処理することを可能にする、
を備える無線通信のための装置。
［Ｃ４２］
前記装置は、
前記データ伝送に関する少なくとも１つのパラメータを備えるアップリンク許可を生成するための手段と、
前記第１の基地局からの前記アップリンク許可を前記ＵＥに送信するための手段と、
をさらに備えており、
前記ＵＣＩは前記アップリンク許可に基づいて前記ＵＥによって生成される、Ｃ４１に記載の装置。
［Ｃ４３］
前記装置は前記データ伝送のために前記ＵＥによって選択されたレートを受信するための手段をさらに備えており、前記ＵＣＩは前記選択されたレートを備える、Ｃ４１に記載の装置。
［Ｃ４４］
前記装置は前記ＵＥに関する更なるＵＣＩを前記第１の基地局から前記第２の基地局に送信するための手段をさらに備えており、前記ＵＥからの前記データ伝送は前記第１の基地局からの前記更なるＵＣＩにさらに基づいて前記第２の基地局によって処理される、Ｃ４１に記載の装置。
【図１】
0005583731.tif 000003
【図２Ａ】
0005583731.tif 000004
【図２Ｂ】
0005583731.tif 000005
【図３Ａ】
0005583731.tif 000006
【図３Ｂ】
0005583731.tif 000007
【図４】
0005583731.tif 000008
【図５】
0005583731.tif 000009
【図６】
0005583731.tif 000010
【図７】
0005583731.tif 000011
【図８】
0005583731.tif 000012
【図９】
0005583731.tif 000013
【図１０】
0005583731.tif 000014
【図１１】
0005583731.tif 000015